(57)【要約】【課題】製造工程が容易であって、頻繁に使用しても彩色図柄と成形物は汚損されない奥行き感のある印鑑基材を提供することを課題とする。【解決手段】透明な筒体１の内周面に彩色図柄７を施し、透明な筒体１の天面より成形物２を吊り下げて装着し、該筒体１の下端部に印面４を設けた印面収納台３を装着し、キャップ５が取付けられている。【選択図】図３
2008055887.tif 000002
【特許請求の範囲】
【請求項１】
透明な筒体に成形物を吊り下げて装着した印鑑基材。
【請求項２】
透明な筒体の外周面又は内周面に絵柄を施した請求項１の印鑑基材。
【請求項３】
成形物を線形材料で吊り下げて装着した請求項１乃至請求項２の印鑑基材。
【請求項４】
成形物を弾性体で吊り下げて装着した請求項１乃至請求項３の印鑑基材。
【発明の詳細な説明】
【技術分野】
【０００１】  この発明は、印鑑基材に関するものである。
【背景技術】
【０００２】  アクリル樹脂の印鑑も多種類見られるようになった。アクリル樹脂の有底状の筒体に絵柄付きシート体を挿入して流動性樹脂で固化する印鑑基材やそれに類似した印鑑も見られる。【０００３】  近年は上端部にキャラクターの成形物付の印鑑が多く見られるようになったが、指で挟持して捺印する際に把手部分のキャラクターの成形物の形状が持ちにくくて不便である上、指の皮脂や汚れが付着して汚損する不都合があった。また、成形物が汚損しても洗えないので見苦しくなっている。【０００４】  またキーホルダーのついた成形物付印鑑をカバンに入れた際、チェーン等の金属部分が成形物に接触し、成形物が傷だらけになったことがあった。
【発明の開示】
【発明が解決しようとする課題】
【０００５】  流動性樹脂で固化する印鑑基材としては特開２００３−１７５６６２号公報において、透明な筒体とこの筒体の内周面に積層された所定の絵柄を有する絵柄付きシ−ト体と、この絵柄付きシ−ト体の内側に所定の合成樹脂が注入されることによって形成した芯材からなる印鑑基材が提案されている。また、特許３６３０６６０号には有底状の透明な筒体内に注入する透明な合成樹脂はエポキシ樹脂であることを特徴とするとある。これらの方法は非常に製造工程数が多く、流動性のエポキシ樹脂の注入や温度管理や硬化には数時間を要する上に固化してからも高圧水での水研磨とバフ研磨を要する製造方法である。特に手作業で行うバフ研磨は粉塵が生じるので環境衛生上も好ましくない。また有害性と引火性がある上、環境庁でも内分泌撹乱作用を有すると疑われ、注意を呼びかけられているエポキシ樹脂の使用は避けた方がいい。
【特許文献１】特開２００３−１７５６６２号公報
【特許文献２】特許３６３０６６０号公報
【０００６】  また流動性樹脂で固化しない印鑑基材としては特開２００５−１３８５９９号公報において透明な有底状の筒体と該筒体内に挿入された芯体と該芯体の外周面と筒体の内周面との間に介在した絵柄付きシート体からなる印鑑基材が提案されている。これは簡便な方法だが、仕上がり感に安っぽさが出てしまう。
【特許文献１】特開２００５−１３８５９９号公報
【課題を解決するための手段】
【０００７】  請求項１記載の発明は、透明な筒体に成形物を吊り下げて装着した印鑑基材である。【０００８】  この発明によれば、印鑑基材は透明な筒体と印面収納台と成形物と印面材を組み立てることにより形成される。よって加工工程の中で昨今健康に有害と懸念されているエポキシ樹脂を充填使用することはない。【０００９】  また、印鑑を頻繁に使用し、筒体の表面が指の摩擦でこすれても、筒体内に収まっている成形物は汚損や破損するような不都合が生じることはなくいつまでも綺麗に保てる。又少しの振動でも中の成形物が揺れ、非常にかわいい印鑑である。【００１０】  請求項２記載の発明は、透明な筒体の外周面又は内周面に絵柄を施した請求項１の印鑑基材である。【００１１】  この発明によれば、透明な筒体の外周面又は内周面に絵柄を施すことにより、表現力がアップし、中の成形物のかわいらしさをより一層引き出すことが出来る。【００１２】  請求項３記載の発明は、成形物を線形材料で吊り下げて装着した請求項１乃至請求項２の印鑑基材である。【００１３】  この発明によれば、線形材料なので丈夫なうえ、振り子のようにかわいくゆれる印鑑基材になる。【００１４】  請求項４記載の発明は、成形物を弾性体で吊り下げて装着した請求項１乃至請求項３の印鑑基材である。【００１５】  この発明によれば、請求項３と同様に頻繁に使用しても成形物は汚損、破損するような不都合はなく、上下に動くかわいい印鑑基材となる。
【発明の効果】
【００１６】  本発明によれば、印鑑基材は透明な筒体と印面収納台付成形物と印面材とを組み立てて形成される。従って自由に各部品を交換して楽しむことも可能である上、資材在庫の圧縮にも効果がある。【００１７】  本発明によれば、印面材は合成樹脂に限らず従来の人造印材、牙印材、つの印材、石印材、木質印材、金属印材等の印面材も採用可能である。またキャラクターなどの成形物は筒体の中に吊り下げられているので、頻繁に印鑑を使用しても汚損や破損する不都合がない。【００１８】  本発明によれば簡単に組み立てて生産するので流動性のエポキシ樹脂を使用しない方法であり工程数も少なく、より一層のコスト削減が可能である。また環境衛生上も好ましい。【００１９】  本発明によれば、透明な筒体の天面に穴をあけて外から成形物を吊るせば、はんこに飽きたときに簡単に筒体より取外すことが可能になり、成形物はキ−ホルダ−としての使用も可能になる。【００２０】  本発明によれば、成形物にも彩色図柄を施すと筒体の絵柄とが二層にみえて、適宜の空間を介して奥行き感をかもし出し、今までにないオリジナル性に富んだものができる。
【発明を実施するための最良の形態】
【００２１】  以下各図面で具体例を挙げているが本考案はこれらに限定されるものではない。図１は本発明に係る印鑑の第一実施形態を示す図であり図１は正面図、図２は図１のＢ−Ｂ線断面図、図３は図１のＡ−Ａの線断面図である。図３に示すように、第一実施形態の印鑑基材は彩色図柄７を施した透明な筒体１の上端部に穴１３があり、成形物２を穴１３より差し入れた針金８で固定し、その針金８の下部とビーズ１０を通した糸端をつぶし玉１１１で接合し、逆の方向のビ−ズの糸端と成形物２の天面に挿したねじくぎ９とをつぶし玉１１２で接合した。又、筒体１の下部に印面収納台３を設け、その印面収納台３の下端部に浸透タイプの印面材４を設け、その上にキャップ５を被せている基本構成を備えている。尚、線形材料はボ−ルチェ−ン・紐・ワイヤ−・テグスなどである。【００２２】  また、彩色図柄７は汚損されないようにするため筒体１の内周面に施こした。具体的にはまず筒体１の内周面に粘着性のある高分子材料を塗付する。その中に彩色図柄７を設けた透明シ−ト体を挿入して、裏からしごきながら密着をさせる。そうすると凸レンズ効果があらわれて、あたかも彩色図柄７を筒体１の外周面に施したかのように見える。又前記の加工方法に限定されるものでは無く、水転写紙に絵柄を施して筒体１の内周面に転写しても同様に凸レンズ効果が得られる。【００２３】  また、ここでいう彩色図柄７とは透明シート体上に、色、模様、文字、図形、イラスト、記号、写真、などを単独もしくは組み合わせて創作し施されたものを言う。さらに、彩色図柄７を設けた透明シート体はポリプロピレン・ポリエチレン・その他の合成樹脂シート体なら何でもよい。また、透明シート体に彩色図柄を施す方法は、手書きやインクジェットプリンタ−やカラ−コピ−機等を用いる小ロット対応の方法でもよい。また、オフセット印刷やスクリ−ン印刷を併用しても、単独でもよいが前記の印刷方法に限定されるものではない。【００２４】  第一実施形態は筒体１の内周面に彩色図柄７を施してあるが、これに限定をされるものではなく、彩色図柄を施すのは筒体１の外周面でもよい。その方法としては直接印刷方式や熱転写フィルムに熱転写用インクで印刷をして、転写をする方法があるが、いずれにしても彩色図柄が汚損されないよう、必要に応じ図柄の上からコ−ティング加工をするのを忘れてはいけない。なお、彩色図柄を施すのは前記の印刷方法に限定されるものではない。【００２５】  また、上記筒体１は円筒形状のものを採用しているが円筒形状に限定されるものではなく、楕円形状、多角形状などのものを採用することができる。また本実施形態において筒体１はアクリルの透明樹脂を用いているが、これに限定されるものではなく、透明度が高いものであればほかの物質でもよい。【００２６】  また、第一実施形態において筒体１と成形物２はともに彩色図柄７と彩色図柄６を施してあるが、筒体１に彩色図柄を付けただけでもいいのはもちろんのことであるし彩色図柄を施すのに変えて布等を貼り付けても良い。また第一実施形態においては印面収納台３に刻面を有する浸透タイプの印面材４を設けたが、印面収納台に彫刻を施した印面材を設けてもよい。【００２７】  図４は第二実施���態の印鑑基材である。第一実施形態の線形材料に替え、弾性体で人形を吊り下げている基本構成を備えている。尚、弾性体とはバネやゴムなどである。
【図面の簡単な説明】
【００２８】
【図１】本発明に係る印鑑の第一実施形態の正面図である。
【図２】本発明に係る印鑑の第一実施形態を示す図１のＢ−Ｂ線断面図である。
【図３】本発明に係る印鑑の第一実施形態を示す図１のＡ−Ａの線断面図である。
【図４】本発明に係る印鑑の第二実施形態の断面図である。
【符号の説明】
【００２９】１・・・・・・筒体
２・・・・・・成形物
３・・・・・・印面収納台
４・・・・・・印面材
５・・・・・・キャップ
６，７・・・・彩色図柄
８・・・・・・針金
９・・・・・・ねじくぎ
１０・・・・・ビ−ズ
１１１，１１２・・・・・つぶし玉
１２・・・・・丸冠
１３・・・・・穴
１４・・・・・バネ
【図１】
2008055887.tif 000003
【図２】
2008055887.tif 000004
【図３】
2008055887.tif 000005
【図４】
2008055887.tif 000006